(57)【要約】      （修正有）【課題】頻繁に且つ素早く動き回る鳥獣に対し、ロケット花火を迅速に狙いを定めて発射することができるようにした鳥獣駆逐用花火を提供する。【解決手段】相互に平行になるように環状に配設した多数本のロケット花火発射筒１と、各ロケット花火発射筒に取り付けたロケット花火５とよりなり、相互に平行になるように配設した多数本のロケット花火発射筒１と、これらのロケット花火発射筒を支持する把持部３と、各ロケット花火発射筒に取り付けたロケット花火５とよりなることを特徴とする鳥獣駆逐用花火。基端を把持部３とする支持棒７と、該支持棒の周囲に相互に平行になるように取り付けた多数本のロケット花火発射筒１と、各ロケット花火発射筒に取り付けたロケット花火５とよりなることを特徴とする鳥獣駆逐用花火。【選択図】図１
0003106427.tif 000002
【実用新案登録請求の範囲】
【請求項１】
相互に平行になるように環状に配設した多数本のロケット花火発射筒と、各ロケット花火発射筒に取り付けたロケット花火とよりなることを特徴とする鳥獣駆逐用花火。
【請求項２】
相互に平行になるように配設した多数本のロケット花火発射筒と、これらのロケット花火発射筒を支持する把持部と、各ロケット花火発射筒に取り付けたロケット花火とよりなることを特徴とする鳥獣駆逐用花火。
【請求項３】
基端を把持部とする支持棒と、該支持棒の周囲に相互に平行になるように取り付けた多数本のロケット花火発射筒と、各ロケット花火発射筒に取り付けたロケット花火とよりなることを特徴とする鳥獣駆逐用花火。
【請求項４】
前記多数本のロケット花火発射筒の前端部外周には各ロケット花火の導火線を係止するための係止手段を備えさせたことを特徴とする請求項１〜３のいずれかに記載の鳥獣駆逐用花火。
【請求項５】
前記多数本のロケット花火発射筒を前端が後端よりも高くなるように支持手段に支持させたことを特徴とする請求項１〜４のいずれかに記載の鳥獣駆逐用花火。
【考案の詳細な説明】
【技術分野】
【０００１】
本考案は、鳥獣駆逐用花火に関するものであり、特に、農作物、樹木等を猪、猿、烏等の有害鳥獣から保護するためにこれらの有害鳥獣を田畑、果樹園等からロケット花火により追い払うようにした獣駆逐用花火に係るものである。なお、本考案による鳥獣駆逐用花火は、玩具花火ないし煙火として用いることも可能であり、実用新案登録請求の範囲における鳥獣駆逐用花火には玩具花火ないし煙火として用いられるものも含まれるものとする。
【背景技術】
【０００２】
有害鳥獣を田畑、果樹園等からロケット花火により追い払うようにした獣駆逐用花火としては、特開２００１−４１６９３号公報に示すものが知られている。
【０００３】
特開２００１−４１６９３号公報により開示されている鳥獣駆逐用花火（以下「従来の鳥獣駆逐用花火」という。）は、発射台に多数本のロケット花火を導火線を介して相互に連結した状態で立設し、これらのロケット花火を連続的に発射させるようにしてなるものである。
【特許文献１】特開２００１−４１６９３号公報
【考案の開示】
【考案が解決しようとする課題】
【０００４】
しかるに、上記従来の鳥獣駆逐用花火は、発射台に多数本のロケット花火を立設しているため、駆逐すべき鳥獣に狙いを定めて発射することができない。鳥獣は頻繁に且つ素早く動き回るため、ロケット花火を飛翔させる方向と角度とを鳥獣の動きに応じて迅速に変更し得るものでなければ、鳥獣駆逐用花火としては十分な効果を奏することができないのである。
【０００５】
このような点に鑑み、本考案は、頻繁に且つ素早く動き回る鳥獣に対し、ロケット花火を迅速に狙いを定めて発射することができるようにした鳥獣駆逐用花火を提供しようとしてなされたものである。
【課題を解決するための手段】
【０００６】
上記課題を解決するために、本考案は、下記の鳥獣駆逐用花火を提供する。
【０００７】
（１）相互に平行になるように環状に配設した多数本のロケット花火発射筒と、各ロケット花火発射筒に取り付けたロケット花火とよりなることを特徴とする鳥獣駆逐用花火（請求項１）。
【０００８】
（２）相互に平行になるように配設した多数本のロケット花火発射筒と、これらのロケット花火発射筒を支持する把持部と、各ロケット花火発射筒に取り付けたロケット花火とよりなることを特徴とする鳥獣駆逐用花火（請求項２）。
【０００９】
（３）基端を把持部とする支持棒と、該支持棒の周囲に相互に平行になるように取り付けた多数本のロケット花火発射筒と、各ロケット花火発射筒に取り付けたロケット花火とよりなることを特徴とする鳥獣駆逐用花火（請求項３）。
【００１０】
（４）前記多数本のロケット花火発射筒の前端部外周には各ロケット花火の導火線を係止するための係止手段を備えさせる（請求項４）。
【００１１】
（５）前記多数本のロケット花火発射筒を前端が後端よりも高くなるように支持手段に支持させる（請求項５）。
【００１２】
［考案の作用］
［請求項１の考案］
請求項１の鳥獣駆逐用花火を使用する際には、単数又は複数のロケット花火に点火し、駆逐すべき鳥獣に狙いを定めてロケット花火を発射させる。しかるときは、ロケット花火は音と煙とを発しつつ鳥獣の近傍まで飛翔し、該鳥獣を威嚇して追い払う。ロケット花火発射筒は相互に平行になるように環状に配設されているため、複数のロケット花火をほぼ同時に発射させたときには、各ロケット花火はほぼ同一の軌道を通って鳥獣の近傍まで飛翔する。従って、該鳥獣に対する威嚇効果は増大する。
【００１３】
［請求項２の考案］
請求項２の鳥獣駆逐用花火は、ロケット花火発射筒を支持する把持部が設けられており、該把持部を手に持った状態で使用される。その他の点においては、請求項２の考案は、前記請求項１の考案と同様の作用を有する。
【００１４】
［請求項３の考案］
請求項３の鳥獣駆逐用花火においては、多数本のロケット花火発射筒は、基端を把持部とする支持棒の周囲に相互に平行になるように取り付けられている。請求項３の考案は、前記請求項１、２の考案と同様の作用を有する。
【００１５】
［［請求項４の考案］
ロケット花火の導火線が係止手段により係止されるため、ロケット花火はロケット花火発射筒に安定した状態で支持される。
【００１６】
［請求項５の考案］
前記多数本のロケット花火発射筒を前端が後端よりも高くなるように支持手段に支持させるようにしたため、使用者はロケット花火の導火線に点火した後、鳥獣駆逐用花火から離れることができる。
【考案の効果】
【００１７】
本考案による鳥獣駆逐用花火においては、把持部を手に持った状態で単数又は複数のロケット花火に点火し、駆逐すべき鳥獣に狙いを定めてロケット花火を発射することができる。しかるときは、ロケット花火は音と煙とを発しつつ鳥獣の近傍まで飛翔し、該鳥獣を威嚇して追い払う。特に、複数のロケット花火をほぼ同時に発射させたときには、各ロケット花火はほぼ同一の軌道を通って鳥獣の近傍まで飛翔する。
【００１８】
従って、本考案によれば、鳥獣に対する威嚇効果は大きく、鳥獣を田畑、果樹園等から確実に追い払うことができる。
【考案を実施するための最良の形態】
【００１９】
本考案による鳥獣駆逐用花火は、一例として、相互に平行になるように配設した多数本のロケット花火発射筒１、１・・・と、これらのロケット花火発射筒１、１・・・を支持する把持部３と、各ロケット花火発射筒１に取り付けたロケット花火５とよりなる。把持部３は形状の如何を問わない。
【００２０】
図１〜図３に示す鳥獣駆逐用花火は、基端を把持部３とする支持棒７と、該支持棒７の周囲に相互に平行になるように取り付けた多数本のロケット花火発射筒１、１・・・と、各ロケット花火発射筒１に取り付けたロケット花火５とよりなる。
【００２１】
即ち、図１〜図３に示す事例においては、多数本のロケット花火発射筒１、１・・・は、基端を把持部３とする支持棒７の周囲に相互に平行になるように取り付けられている。
【００２２】
支持棒７は、例えば、木、紙、合成樹脂等により形成した円筒状体、円柱状体等とするが、支持棒７の把持部３は、支持棒７の基端を銃床の如く屈曲させてなるものであってもよい。
【００２３】
図５に示す鳥獣駆逐用花火は、相互に平行になるように環状に配設した多数本のロケット花火発射筒１、１・・・と、各ロケット花火発射筒１に取り付けたロケット花火５とよりなるものである。この鳥獣駆逐用花火は、図１〜３に示す鳥獣駆逐用花火から支持棒３を削除したものである。
【００２４】
ロケット花火発射筒１は、例えば、木、紙、合成樹脂、金属等により形成した円筒状体とする。
【００２５】
符号９に示すものは、多数本のロケット花火発射筒１、１・・・を固定するために該ロケット花火発射筒１、１・・・の外周に嵌着した環状体である。
【００２６】
ロケット花火５は、一例として、図４に示すように、軸１１の先端に筒状体１３を固定し、該筒状体１３内に火薬１５を充填し、該筒状体１３内の後部より導火線１７を該筒状体１３の後方に導出してなるものとする。
【００２７】
図４に示す事例においては、軸１１の先端に筒状体１３を固定するために、軸１１の先端と筒状体１３とを紙片１９により巻き付けている。
【００２８】
図４における符号２１、２３に示すものは筒状体１３内に火薬１５を保持するための栓である。
【００２９】
ロケット花火５をロケット花火発射筒１に取り付ける際には、ロケット花火５の軸１１をロケット花火発射筒１内に挿入し、ロケット花火５の導火線１７をロケット花火発射筒１の前端より露出させる。
【００３０】
ロケット花火発射筒１に取り付けられたロケット花火５の導火線１７に点火したときには、該導火線１７の火は筒状体１３内の火薬１５に移り、該火薬１５が燃焼してロケット花火５はロケット花火発射筒１より前方に飛翔する。
【００３１】
ロケット花火５は、好ましくは、飛翔後に大きな破裂音を発し、或いは飛翔中若しくは飛翔後に光、煙、臭い等を出すようになす。
【００３２】
なお、各ロケット花火発射筒１に取り付けられた各ロケット花火５の導火線１７を相互に連結することにより、ロケット花火５、５・・・が連続的に発射されるようにしてもよい。
【００３３】
図６に示す事例においては、多数本のロケット花火発射筒１、１・・・の前端部外周には各ロケット花火５の導火線１７を係止するための係止手段２５を備えさせている。
【００３４】
即ち、係止手段２５は、一例として、ロケット花火発射筒１、１・・・の前部外周に嵌着した環状体９の前端にフランジ２７を突設し、該フランジ２７に導火線１７を係止するための切り欠きを形成してなるものとする。
【００３５】
図７、図８に示す事例においては、多数本のロケット花火発射筒１、１・・・を各ロケット花火発射筒１の前端１ａが各ロケット花火発射筒１の後端１ｂよりも高くなるように支持手段２９に支持させている。支持手段２９は一例として地上に立てる。
【００３６】
図７に示す支持手段２９ａは、針金を、中央に環状部３１を備えた略Ｕ状体に折曲形成してなるものであり、該環状部３１内に多数本のロケット花火発射筒１、１・・・を挿入している。
【００３７】
図８の示す支持手段２９ｂは、板状体３３に透孔３５を形成し、該透孔３５内に多数本のロケット花火発射筒１、１・・・を挿入している。
【図面の簡単な説明】
【００３８】
【図１】本考案による鳥獣駆逐用花火の一例を示す斜視図である。
【図２】同上鳥獣駆逐用花火の一部を示す断面図である。
【図３】同上鳥獣駆逐用花火の正面図である。
【図４】ロケット花火の一例を示す断面図である。
【図５】本考案による鳥獣駆逐用花火の別の一例を示す斜視図である。
【図６】本考案による鳥獣駆逐用花火の更に別の一例を示す斜視図である。
【図７】本考案による鳥獣駆逐用花火の更に別の一例を示す斜視図である。
【図８】本考案による鳥獣駆逐用花火の更に別の一例を示す斜視図である。
【符号の説明】
【００３９】
１  ロケット花火発射筒
１ａ  前端
１ｂ  後端
３  把持部
５  ロケット花火
７  支持棒
９  環状体
１１  軸
１３  筒状体
１５  火薬
１７  導火線
１９  紙片
２１  栓
２３  栓
２５  係止手段
２７  フランジ
２９  支持手段
２９ａ  支持手段
２９ｂ  支持手段
３１  環状部
３３  板状体
３５  透孔
【図１】
0003106427.tif 000003
【図２】
0003106427.tif 000004
【図３】
0003106427.tif 000005
【図４】
0003106427.tif 000006
【図５】
0003106427.tif 000007
【図６】
0003106427.tif 000008
【図７】
0003106427.tif 000009
【図８】
0003106427.tif 000010